(57)【要約】【課題】通話ボタンと基板上のスイッチとの距離が離れている場合でも、通話ボタンを上筐体に対して水平方向から挿入でき、且つ通話ボタンが大型になっても確実にスイッチを動作させる。【解決手段】上筐体１と下筐体２間に間挿された基板３上に搭載され通話を行なうためのスイッチ４と、上筐体に設けられ上筐体の内側に向かって撓曲自在の弾性片５および弾性片に連結されスイッチを作動させる作動棹６と、上筐体に係止され操作することにより弾性片を介して作動棹を押圧する通話ボタン７とを備え、弾性片は、上筐体に固定された一対の支持ベース片１７ａ、１７ｂと、一対の支持ベース片を橋架するブリッジ片１８とからなり、通話ボタンには、弾性片の前記ブリッジ片の各端部１８ａ、１８ｂに対応する位置に配置され弾性片を弾性変形させて作動棹を押圧するための複数の押圧突部８ａ、８ｂを設けている。【選択図】図１
2004134877.tif 000002
【特許請求の範囲】
【請求項１】
上筐体（１）と下筐体（２）間に間挿された基板（３）上に搭載され通話を行なうためのスイッチ（４）と、
前記上筐体に設けられ前記上筐体の内側に向かって撓曲自在の弾性片（５）および前記弾性片に連結され前記スイッチを作動させる作動棹（６）と、
前記上筐体に係止され操作することにより前記弾性片を介して前記作動棹を押圧する通話ボタン（７）とを備え、
前記弾性片は、前記上筐体に固定された一対の支持ベース片（１７ａ、１７ｂ）と、前記一対の支持ベース片を橋架するブリッジ片（１８）とからなり、
前記通話ボタンには、前記弾性片の前記ブリッジ片の各端部（１８ａ、１８ｂ）に対応する位置に配置され前記弾性片を弾性変形させて前記作動棹を押圧するための複数の押圧突部（８ａ、８ｂ）を設けたことを特徴とするハンズフリーインターホンボタン構造。
【請求項２】
前記押圧突部を前記通話ボタンの押込距離が十分確保できない場合に前記スイッチが動作するように前記弾性片に対して斜行する斜行片（９ａ、９ｂ）に形成したことを特徴とする請求項１記載のハンズフリーインターホンボタン構造。
【請求項３】
前記弾性片に、前記斜行片に当接して前記通話ボタンを上下方向に位置決める段差（１０ａ、１０ｂ）を設けたことを特徴とする請求項２記載のハンズフリーインターホンボタン構造。
【請求項４】
前記押圧突部を中空ボス形状部（１１ａ、１１ｂ）に形成し、前記弾性片に、前記中空ボス形状部に当接して前記通話ボタンを上下左右方向に位置決める半球状突部（１２ａ、１２ｂ）を設けたことを特徴とする請求項１乃至請求項３何れか１項記載のハンズフリーインターホンボタン構造。
【発明の詳細な説明】
【０００１】
【発明の属する技術分野】
本発明はハンズフリーインターホンボタン構造係り、特に上筐体に設けた弾性片および作動突部を介して大型の通話ボタンの操作を確実にスイッチへ伝達するハンズフリーインターホンボタン構造に関する。
【０００２】
【従来の技術】
従来から、この種のハンズフリーインターホンボタン構造として、本体部の本体カバー（上筐体）に面型通話押ボタンが設けられたものが知られている（例えば、特許文献１参照）。
【０００３】
この面型通話押ボタンは、裏面に通話スイッチの作動部を押圧するためのスイッチ押圧突部を設けた構造になっているので、このスイッチ押圧突部で基板上の押圧スイッチを直接操作するようになっている。
【０００４】
【特許文献１】特開平７−１４７６７６号公報　（第３頁、第２図、第３図）
【０００５】
【発明が解決しようとする課題】
しかしながら、このような従来のハンズフリーインターホンボタン構造では、面型通話押ボタンと基板上の押圧スイッチとの距離が離れていると、面型通話押ボタン自体に長い押圧突部を設けなければならないので、面型通話押ボタンを本体カバーに対して水平方向から挿入して組み立てることが不可能であった。また、このような長い押圧突部を設けた面型通話押ボタンでは、ボタン自体が大型になると、ボタンの左右端を押圧操作しても押圧スイッチを動作させることができなくなる難点があった。
【０００６】
本発明は、このような従来の難点を解決するためになされたもので、通話ボタンと基板上のスイッチとの距離が離れている場合でも、通話ボタンを上筐体に対して水平方向から挿入でき、且つ、通話ボタンが大型になっても確実にスイッチを動作させることができるハンズフリーインターホンボタン構造を提供することを目的とする。
【０００７】
【課題を解決するための手段】
上記目的を達成する本発明のハンズフリーインターホンボタン構造は、上筐体と下筐体間に間挿された基板上に搭載され通話を行なうためのスイッチと、上筐体に設けられ上筐体の内側に向かって撓曲自在の弾性片および弾性片に連結されスイッチを作動させる作動棹と、上筐体に係止され操作することにより弾性片を介して作動棹を押圧する通話ボタンとを備えているものである。また、弾性片は、上筐体に固定された一対の支持ベース片と、一対の支持ベース片を橋架するブリッジ片とからなるものである。さらに、通話ボタンには、弾性片のブリッジ片の各端部に対応する位置に配置され弾性片を弾性変形させて作動棹を押圧するための複数の押圧突部を設けたものである。
【０００８】
このようなハンズフリーインターホンボタン構造によれば、通話ボタンと基板上のスイッチとの距離が離れている場合でも、通話ボタン自体に通話を行なうためのスイッチを押圧する押圧突部を設けていないので、通話ボタンを上筐体に対して水平方向から挿入でき、また、上筐体に当該上筐体の内側に向かって撓曲自在の弾性片が設けられているので、コイルばね等を用いなくても通話ボタンの押圧操作に対して弾性力を付与することができるようになり、さらに、通話ボタンには弾性片のブリッジ片の各端部に対応する位置に配置され弾性片を弾性変形させて作動棹を押圧するための複数の押圧突部を設けているので、通話ボタンが大型になっても確実にスイッチを動作させることができる。
【０００９】
また、本発明のハンズフリーインターホンボタン構造においては、押圧突部を通話ボタンの押込距離が十分確保できない場合にスイッチが動作するように弾性片に対して斜行する斜行片に形成したものである。これにより、押圧突部が弾性片に対して平行な面で形成されているときよりも押圧操作による移動距離が長くなるので、通話ボタンの押込距離が十分確保できない場合においても確実にスイッチ４を動作させることができる。
【００１０】
また、本発明のハンズフリーインターホンボタン構造においては、弾性片に、斜行片に当接して通話ボタンを上下方向に位置決める段差を設けたものである。これにより、通話ボタンの上下方向に位置決めが容易になる。
【００１１】
また、本発明のハンズフリーインターホンボタン構造においては、押圧突部を中空ボス形状部に形成し、弾性片に、中空ボス形状部に当接して通話ボタンを上下左右方向に位置決める半球状突部を設けたものである。これにより、通話ボタンのがたつきを防ぐことができる。
【００１２】
【発明の実態の形態】
以下、本発明のハンズフリーインターホンボタン構造における好ましい実施の形態例について図面を参照して詳述する。
【００１３】
本発明のハンズフリーインターホンボタン構造が適用されるハンズフリーインターホンは図１（ａ）、（ｂ）、（ｃ）、図２、図３に示すように、上筐体１および下筐体２から成り上部側にテレビモニタ１０１が配置される本体部１００が、壁面に取り付け可能なボックス型に形成されている。この本体部１００には、上筐体１と下筐体２間に間挿された基板３上に搭載され通話を行なうための通話スイッチ４と、上筐体１の下方中央部に係止され操作することにより通話スイッチ４を押圧する通話ボタン７とを備えている。この通話ボタン７と、上筐体１の下方中央部に形成されている通話ボタン用窓孔１５とは、通話ボタン７を上筐体１に対して水平方向から挿入して嵌合させることにより、当該通話ボタン７を当該上筐体１に係止できる構造になっている。
【００１４】
本体部１００の上筐体１には、上筐体１の内側に向かって撓曲自在の弾性片５と、この弾性片５に連結され通話スイッチ４を作動させる作動棹６とが設けられている。これにより、通話ボタン７と基板３上の通話スイッチ４との距離が離れている場合でも、通話ボタン自体に通話スイッチ４を押圧する押圧突部を設けていないので、通話ボタン７を上筐体１に対して水平方向から挿入して嵌合させることができる。
【００１５】
弾性片５は、上筐体１に固定された一対の支持ベース片１７ａ、１７ｂと、この一対の支持ベース片１７ａ、１７ｂを橋架するブリッジ片１８とがコの字形に形成され、且つ上筐体１の内側に向かって撓曲できるように上筐体１との間に、一対の支持ベース片１７ａ、１７ｂおよびブリッジ片１８に沿ってコの字形の２つの窓孔１３、１６が穿孔された枠体形状に構成されている。なお、一対の支持ベース片１７ａ、１７ｂは弾性を増すために上筐体１に固定される部分から、通話スイッチ４を押圧する方向とは反対方向に向かって斜めに屈曲している。
【００１６】
また、通話ボタン７には、弾性片５のブリッジ片１８の各端部１８ａ、１８ｂに対応する位置に配置される２つの押圧突部８ａ、８ｂが設けられている。これにより、弾性片５のブリッジ片１８の各端部１８ａ、１８ｂが通話ボタン７の２つの押圧突部８ａ、８ｂに当接するので、通話ボタン７を弾性片５のブリッジ片１８で支持することができ、通話ボタン７が大型になっても確実に通話スイッチ４を動作させることができる。
【００１７】
また、通話ボタン７の２つの押圧突部８ａ、８ｂは中空ボス形状部１１ａ、１１ｂに形成され、弾性片５には、この通話ボタン７の２つの押圧突部８ａ、８ｂに当接して通話ボタン７を上下左右方向に位置決める半球状突部１２ａ、１２ｂが設けられている。これにより、通話ボタン７のがたつきを防ぐことができる。
【００１８】
このように構成された第１の実施例であるハンズフリーインターホンボタン構造によれば、通話ボタン７を押圧操作すると、当該通話ボタン７の２つの押圧突部８ａ、８ｂが弾性片５のブリッジ片１８の各端部１８ａ、１８ｂを押圧するので、弾性片５の一対の支持ベース片１７ａ、１７ｂは上筐体１の内側に向かって撓曲する。この一対の支持ベース片１７ａ、１７ｂが撓曲することにより、弾性片５に連結された作動棹６が通話スイッチ４を押圧することになる。このような弾性片５の構造により、コイルばね等を用いなくても通話ボタン７の押圧操作に対して弾性力を付与することができるようになる。
【００１９】
なお、本発明のハンズフリーインターホンボタン構造における好ましい実施の形態例は、これに限らず、図４（ａ）、（ｂ）、図６（ａ）、（ｂ）に示すように、通話ボタン７の２つの押圧突部８ａ、８ｂを通話ボタン７の押込距離が十分確保できない場合に通話スイッチ４が動作するように弾性片５に対して斜行（即ち、矢印Ａ方向に高さが漸次減少するように傾斜）する斜行片９ａ、９ｂに形成させる。これにより、図６（ａ）、（ｂ）に示すように、押圧突部８ａ、８ｂが矢印Ａ方向に高さが漸次減少するように傾斜する斜行片９ａ、９ｂに形成されているので、通話スイッチ４を押圧操作すると、押圧突部８ａ、８ｂが弾性片５に対して平行な面で形成されているときよりも押圧操作による移動距離が長くなる。したがって、通話ボタン７の押込距離が十分確保できない場合においても確実に通話スイッチ４を動作させることができる。
【００２０】
また、図５（ａ）、（ｂ）、図６（ａ）、（ｂ）に示すように、弾性片５に、斜行片９ａ、９ｂに当接して通話ボタン７を上下方向に位置決める段差１０ａ、１０ｂを設ける。これにより、通話ボタン７の上下方向に位置決めが容易になる。
【００２１】
さらに、このような図４（ａ）、（ｂ）に示す通話ボタン７の２つの押圧突部８ａ、８ｂを図１（ｃ）に示すような中空ボス形状部に形成し、図５（ａ）、（ｂ）に示す弾性片５に、この中空ボス形状部に当接して通話ボタン７を上下左右方向に位置決める図１（ｂ）に示すような半球状突部を設けてもよく、第１の実施例と同様の効果を得ることができる。
【００２２】
【発明の効果】
以上、説明したように、本発明のハンズフリーインターホンボタン構造によれば、通話ボタンと基板上のスイッチとの距離が離れている場合でも、通話ボタンを上筐体に対して水平方向から挿入でき、且つ、通話ボタンが大型になっても確実にスイッチを動作させることができる。
【図面の簡単な説明】
【図１】本発明のハンズフリーインターホンボタン構造における好ましい実施の形態例を示す図で、（ａ）は断面図、（ｂ）は通話ボタンが係止される上筐体の部分斜視図、（ｃ）は通話ボタンの裏面の斜視図。
【図２】本発明のハンズフリーインターホンボタン構造が適用されるハンズフリーインターホンを示す外観斜視図。
【図３】本発明のハンズフリーインターホンボタン構造が適用されるハンズフリーインターホンを示す断面図。
【図４】本発明のハンズフリーインターホンボタン構造が適用される通話ボタンの他の実施の形態例を示す図で、（ａ）は裏面の斜視図、（ｂ）は（ａ）の拡大斜視図。
【図５】本発明のハンズフリーインターホンボタン構造が適用されるハンズフリーインターホン本体の他の実施の形態例を示す図で、（ａ）は外観斜視図、（ｂ）は通話ボタンが係止される上筐体の拡大斜視図。
【図６】図５のハンズフリーインターホン本体に図４の通話ボタンが係止された状態を示す図で、（ａ）断面図、（ｂ）は（ａ）の拡大断面図。
【符号の説明】
１・・・・・上筐体
２・・・・・下筐体
３・・・・・基板
４・・・・・スイッチ
５・・・・・弾性片
６・・・・・作動棹
７・・・・・通話ボタン
８ａ、８ｂ・・・・・押圧突部
９ａ、９ｂ・・・・・斜行片
１０ａ、１０ｂ・・・・・段差
１１ａ、１１ｂ・・・・・中空ボス形状部
１２ａ、１２ｂ・・・・・半球上突部
１７ａ、１７ｂ・・・・・一対の支持ベース片
１８・・・・・ブリッジ片
１８ａ、１８ｂ・・・・・弾性片のブリッジ片の各端部
【図１】
2004134877.tif 000003
【図２】
2004134877.tif 000004
【図３】
2004134877.tif 000005
【図４】
2004134877.tif 000006
【図５】
2004134877.tif 000007
【図６】
2004134877.tif 000008